(57)【特許請求の範囲】
【請求項１】
熱負荷に接続された熱媒循環路を通して熱媒を循環させる循環手段、前記熱媒を加熱する加熱手段、および、前記熱媒循環路に熱媒を自動的に補給する補給手段を備えた熱源機が設けられ、
前記熱媒循環路の途中箇所に、戻り側循環路部分の戻り熱媒を往き側循環路部分にバイパス流動させるバイパス路が設けられ、
そのバイパス路からの戻り熱媒と前記熱源機からの往き熱媒との混合比を調整する混合手段と、
その混合手段にて混合された混合熱媒を前記熱媒循環路および前記バイパス路を通して前記熱負荷に循環させる熱負荷側循環手段と、
熱媒循環運転を管理する制御手段とが設けられ、
その制御手段が、熱媒循環運転が指令されると、前記循環手段および前記熱負荷側循環手段を循環作動させ、前記熱源機からの往き熱媒の温度が熱源供給用目標温度になるように前記加熱手段を加熱作動させ、並びに、前記混合熱媒の温度が熱負荷用目標温度になるように前記混合手段を混合作動させる熱媒循環処理を実行するように構成された熱媒供給システムであって、
前記制御手段が、前記熱負荷および前記熱媒循環路に熱媒を充填する熱媒充填運転が指令されると、前記循環手段および前記熱負荷側循環手段を循環作動させ、並びに、前記バイパス路を通した熱媒の流動が無いあるいはそれに近いバイパス路閉じ状態に前記混合手段を作動させる熱媒充填処理を実行するように構成され、
前記熱媒循環路のうちの前記バイパス路が設けられる一部の循環路部分、前記混合手段、および、前記熱負荷側循環手段とが、一体的に混合ユニットとして備えられ、
前記混合ユニットに、前記熱媒充填運転を指令する熱媒充填運転指令手段が設けられている熱媒供給システム。
【請求項２】
前記熱媒循環路における前記熱負荷側循環手段の設置箇所に熱媒が存在していることを検出する熱媒検出手段が設けられ、
前記制御手段が、前記熱媒充填処理において、先ず、前記循環手段を循環作動させること並びに前記混合手段を前記バイパス路閉じ状態に作動させることを実行し、前記熱媒検出手段が熱媒を検出すると、前記熱負荷側循環手段を循環作動させることを実行するように構成されている請求項１記載の熱媒供給システム。
【発明の詳細な説明】
【０００１】
【発明の属する技術分野】
本発明は、熱負荷に接続された熱媒循環路を通して熱媒を循環させる循環手段、前記熱媒を加熱する加熱手段、および、前記熱媒循環路に熱媒を自動的に補給する補給手段を備えた熱源機が設けられ、前記熱媒循環路の途中箇所に、戻り側循環路部分の戻り熱媒を往き側循環路部分にバイパス流動させるバイパス路が設けられ、そのバイパス路からの戻り熱媒と前記熱源機からの往き熱媒との混合比を調整する混合手段と、その混合手段にて混合された混合熱媒を前記熱媒循環路および前記バイパス路を通して前記熱負荷に循環させる熱負荷側循環手段と、熱媒循環運転を管理する制御手段とが設けられ、その制御手段が、熱媒循環運転が指令されると、前記循環手段および前記熱負荷側循環手段を循環作動させ、前記熱源機からの往き熱媒の温度が熱源供給用目標温度になるように前記加熱手段を加熱作動させ、並びに、前記混合熱媒の温度が熱負荷用目標温度になるように前記混合手段を混合作動させる熱媒循環処理を実行するように構成された熱媒供給システムに関する。
【０００２】
【従来の技術】
上記のような熱媒供給システムは、例えば、特開平９−３１８０８２号公報に開示されているように、床暖房パネルなどの熱負荷に適した温度の熱媒を熱負荷に供給するもので、熱負荷にて要求されている温度に対応した熱負荷用目標温度になるように混合手段を混合作動させ、熱負荷にて要求されている温度に対応した熱負荷用目標温度の熱媒を熱負荷に供給するものである。
具体的には、熱源機からの８０℃の高温水とバイパス路からの３０℃の温水を混合させて、６０℃の温水を床暖房パネルなどの熱負荷に供給するように混合手段を混合作動させるようにしている。
【０００３】
ところで、上記熱媒供給システムにおいては、システムの設置後などにおいて熱負荷および熱媒循環路に熱媒を充填させる必要があり、そのために、制御手段が、前記の如く、混合手段を混合作動させながら、循環手段および熱負荷側循環手段を循環作動させて、熱源機から供給される熱媒を熱負荷および熱媒循環路に充填するようにしていた。
【０００４】
【発明が解決しようとする課題】
しかしながら、上記従来の熱媒供給システムでは、熱負荷および熱媒循環路に熱媒を充填するときにおいても、混合手段を混合作動させるために、熱源機から供給される熱媒の全量を混合手段よりも熱負荷側の往き側循環路部分に的確に流動させることができず、熱負荷および熱媒循環路の一部にしか熱媒を充填することができなかったり、熱負荷および熱媒循環路の全体に熱媒を充填することができたとしてもその熱媒の充填に時間がかかるという問題があった。
【０００５】
すなわち、熱源機から供給される熱媒の全量を混合手段よりも熱負荷側の往き側循環路部分に的確に流動させることにより、熱負荷および熱媒循環路に確実にかつ短時間で熱媒を充填することができるものとなるが、上記従来の熱媒供給システムでは、熱負荷および熱媒循環路に熱媒を充填するときにおいても、混合手段を混合作動させるので、熱源機から供給される熱媒が混合手段によりその流れを絞られた状態で混合手段よりも熱負荷側の往き側循環路部分に流動することとなり、熱源機から供給される熱媒の全量を混合手段よりも熱負荷側の往き側循環路部分に的確に流動させることができないことがあった。
【０００６】
熱源機から供給される熱媒が混合手段により不必要に絞られて流れることについて、説明を加えると、例えば、加熱手段を加熱作動させるなどにより、熱源機から熱負荷用目標温度よりも高温の熱媒を供給したときには、熱源機からの高温の熱媒とバイパス路からの低温の熱媒とを混合させて、混合熱媒の温度を熱負荷用目標温度に調整しようとする結果、熱源機から供給される熱媒が混合手段により絞られた状態で流動することとなり、また、混合手段は、熱媒の圧力の変化によって、熱源機からの往き熱媒とバイパス路からの戻り熱媒との実際の混合比が変化するものであるため、往き熱媒と戻り熱媒の圧力によっては、熱源機から供給される熱媒が混合手段により絞られた状態で流動することとなるなど、熱源機から供給される熱媒の全量を混合手段よりも熱負荷側の往き側循環路部分に的確に流動させることができない虞があった。
【０００７】
本発明は、かかる点に着目してなされたものであり、その目的は、熱負荷および熱媒循環路に確実にかつ短時間で熱媒を充填することが可能となる熱媒供給システムを提供する点にある。
【０００８】
【課題を解決するための手段】
この目的を達成するために、請求項１に記載の発明によれば、熱負荷に接続された熱媒循環路を通して熱媒を循環させる循環手段、前記熱媒を加熱する加熱手段、および、前記熱媒循環路に熱媒を自動的に補給する補給手段を備えた熱源機が設けられ、前記熱媒循環路の途中箇所に、戻り側循環路部分の戻り熱媒を往き側循環路部分にバイパス流動させるバイパス路が設けられ、そのバイパス路からの戻り熱媒と前記熱源機からの往き熱媒との混合比を調整する混合手段と、その混合手段にて混合された混合熱媒を前記熱媒循環路および前記バイパス路を通して前記熱負荷に循環させる熱負荷側循環手段と、熱媒循環運転を管理する制御手段とが設けられ、その制御手段が、熱媒循環運転が指令されると、前記循環手段および前記熱負荷側循環手段を循環作動させ、前記熱源機からの往き熱媒の温度が熱源供給用目標温度になるように前記加熱手段を加熱作動させ、並びに、前記混合熱媒の温度が熱負荷用目標温度になるように前記混合手段を混合作動させる熱媒循環処理を実行するように構成された熱媒供給システムにおいて、
前記制御手段が、前記熱負荷および前記熱媒循環路に熱媒を充填する熱媒充填運転が指令されると、前記循環手段および前記熱負荷側循環手段を循環作動させ、並びに、前記バイパス路を通した熱媒の流動が無いあるいはそれに近いバイパス路閉じ状態に前記混合手段を作動させる熱媒充填処理を実行するように構成され、前記熱媒循環路のうちの前記バイパス路が設けられる一部の循環路部分、前記混合手段、および、前記熱負荷側循環手段とが、一体的に混合ユニットとして備えられ、前記混合ユニットに、前記熱媒充填運転を指令する熱媒充填運転指令手段が設けられている。
【０００９】
すなわち、熱媒充填処理を指令することにより、制御手段にて、循環手段および熱負荷側循環手段を作動させることに加えて、前記バイパス路を通した熱媒の流動が無いあるいはそれに近いバイパス路閉じ状態に混合手段を作動させる、熱媒充填処理を実行させるようにしてあるから、つまり、この熱媒充填処理においては、混合手段をバイパス路閉じ状態にするようにして、熱源機から供給される熱媒の温度にかかわらず、混合手段にて熱媒の流れに不必要な絞りを与えるのを回避し、また、熱媒の圧力にて実際の混合比が変化したとしても、混合手段にて熱媒の流れに不必要な絞りを与えるのを極力回避するようにしてあるから、システムの設置後などにおいて熱負荷および熱媒循環路に熱媒を充填させるときに、熱媒充填運転を指令して熱媒充填処理を行わせることにより、熱源機からの熱媒に混合手段にて不必要な絞りを与えること無く、その熱媒の全量を的確に混合手段よりも熱負荷側の往き側循環路部分に流動させながら、熱負荷および熱媒循環路に熱媒の充填を行うことができるものとなるのである。
したがって、熱源機からの熱媒の全量を的確に混合手段よりも熱負荷側の往き側循環路部分に流動させながら、熱負荷および熱媒循環路に熱媒の充填を行うことができるものとなるから、システムの設置後などにおいて熱負荷および熱媒循環路に熱媒を充填することを、確実にかつ短時間で行えるようになった。
【００１０】
又、請求項１に記載の発明によれば、前記熱媒循環路のうちの前記バイパス路が設けられる一部の循環路部分、前記混合手段、および、前記熱負荷側循環手段とが、一体的に混合ユニットとして備えられている。
すなわち、熱媒循環路のうちのバイパス路が設けられる一部の循環路部分、混合手段、および、熱負荷側循環手段とが一体的に備えられているので、混合ユニットを設置するだけで混合手段や熱負荷側循環手段などを設置することができ、
混合手段や熱負荷側循環手段などの設置作業が容易なものとなる。
【００１１】
さらに、請求項１に記載の発明によれば、前記混合ユニットに、前記熱媒充填運転を指令する熱媒充填運転指令手段が設けられている。
【００１２】
すなわち、熱媒充填運転を指令する熱媒充填運転指令手段を制御手段に制御指令を指令するリモコンや熱源機に設けることも考えられるが、例えば、リモコンには、運転を指令するための運転スイッチやその他のスイッチなどが設けられ、このリモコンに熱媒充填運転指令手段を設ける場合には、既に設けられている運転スイッチやその他のスイッチなどと連係をとる必要があるなど、その分構造が複雑化する虞がある。
また、熱源機に熱媒充填運転指令手段を設ける場合においても、同様に、既に設けられている機器との連係をとる必要があるなど、その分構造が複雑化する虞がある。
【００１３】
しかしながら、熱媒供給システムのために新しく設置される混合ユニットに熱媒充填運転指令手段を設けるので、その混合ユニットに熱媒充填運転指令手段を単純に設けるだけでよく、前記の如く、リモコンや熱源機に熱媒充填運転指令手段を設けるものと比べて、構成が容易なものとなる。
【００１４】
請求項２に記載の発明によれば、前記熱媒循環路における前記熱負荷側循環手段の設置箇所に熱媒が存在していることを検出する熱媒検出手段が設けられ、前記制御手段が、前記熱媒充填処理において、先ず、前記循環手段を循環作動させること並びに前記混合手段を前記バイパス路閉じ状態に作動させることを実行し、前記熱媒検出手段が熱媒を検出すると、前記熱負荷側循環手段を循環作動させることを実行するように構成されている。
【００１５】
すなわち、熱負荷側循環手段の設置箇所に熱媒が存在しない状態でポンプなどの熱負荷側循環手段を循環作動させると、熱負荷側循環手段に損傷を与えることとなり、熱負荷側循環手段の寿命を短くしてしまうという問題があるが、熱媒検出手段の検出情報に基づいて、熱負荷側循環手段の設置箇所に熱媒が存在していることが検出されると、熱負荷側循環手段を循環作動させるので、常に、熱負荷側循環手段の設置箇所に熱媒が存在している状態で熱負荷側循環手段を循環作動させることが可能となり、熱負荷側循環手段の寿命を長くすることが可能となる。
【００１６】
【発明の実施の形態】
本発明にかかる熱媒供給システムを図面に基づいて説明する。
この熱媒供給システムは、図１および２に示すように、熱負荷としての床暖房パネル１と、この床暖房パネル１に接続された熱媒循環路２を通して熱媒を循環させる循環手段などを備えた熱源機４と、熱媒循環路２の途中箇所に設けられたバイパス路３からの戻り熱媒と熱源機４からの往き熱媒との混合比を調整する混合手段９などを備えた混合ユニット５と、熱媒循環運転を管理する制御手段６に動作指令を指令するリモコン操作部７などから構成されている。
【００１７】
前記混合ユニット５は、その運転がユニット側制御手段８により管理され、熱媒循環路２における戻り側循環路部分２ｂの戻り熱媒を往き側循環路部分２ａにバイパス流動させるバイパス路３が設けられる一部の循環路部分２ｃと、バイパス路３からの戻り熱媒と熱源機４からの往き熱媒との混合比を調整する混合手段としてのミキシングバルブ９と、このミキシングバルブ９にて混合された混合熱媒を熱媒循環路２およびバイパス路３を通して床暖房パネル１に循環させる熱負荷側循環手段としての熱負荷側循環ポンプ１０などが備えられている。
また、前記混合ユニット５には、ミキシングバルブ９にて混合された混合熱媒の温度を検出する熱媒検出手段としてのサーミスタ１１が設けられ、熱媒循環路２における往き側循環路部分２ａに、熱源機４側から順にミキシングバルブ９、サーミスタ１１、熱負荷側循環ポンプ１０が設けられ、熱負荷側循環ポンプ１０よりも床暖房パネル１側の往き熱媒の一部をバイパス路３と戻り側循環路部分２ｂとの接続箇所よりも熱源機４側の戻り側循環路部分２ｂにバイパス流動させるユニットバイパス路１２が設けられている。
【００１８】
前記ミキシングバルブ９について説明を加えると、このミキシングバルブ９は、詳細は図示しないが、ステッピングモータ１３を作動させることにより弁本体を作動させて、バイパス路３からの戻り熱媒の流入口と熱源機４からの往き熱媒の流入口との開度を調整して、バイパス路３からの戻り熱媒と熱源機４からの往き熱媒との混合比を調整するように構成され、図３に示すように、ステッピングモータ１３のステップ数を変更することによって、バイパス路３からの戻り熱媒と熱源機４からの往き熱媒との混合比を変更するようにしている。
なお、図３において、低温水側はバイパス路３からの戻り熱媒であり、高温水側は熱源機４からの往き熱媒のことを示している。
【００１９】
前記熱源機４は、図４に示すように、その運転が熱源機側制御手段１４により管理され、補給手段としての補給水タンク１５、加熱手段１６としての熱交換器１７およびこの熱交換器１７を加熱するバーナ１８、循環手段としての循環ポンプ１９などが備えられている。
そして、熱媒循環路２における戻り側循環路部分２ｂに接続される熱媒戻り路２０が補給水タンク１５の入口側に接続され、熱媒循環路２における往き側循環路部分２ａに接続される熱媒往き路２１が熱交換器１７の出口側に接続され、補給水タンク１５の出口側と熱交換器１７の入口側を連通する熱媒連通路２２が設けられ、この熱媒連通路２２の途中箇所に循環ポンプ１９が設けられている。
【００２０】
前記熱媒往き路２１を流動する熱媒を熱媒戻り路２０にバイパス流動させる熱源機バイパス路２３が設けられ、熱媒戻り路２０には、熱媒戻り路２０を流動する熱媒の温度を検出する熱媒戻りサーミスタ２４が設けられ、熱媒往き路２１には、熱媒往き路２１を流動する熱媒の温度を検出する熱媒往きサーミスタ２５が設けられている。
前記補給水タンク１５に給水するためのタンク給水路２６には、補給水バルブ２７と補給水電磁弁２８が設けられ、補給水タンク１５には、水位の上限を検出する上限センサ２９と水位の下限を検出する下限センサ３０が設けられ、熱源機側制御手段１４により補給水タンク１５の水位が上限センサと下限センサとの間の水位に維持されるように、補給水バルブ２７と補給水電磁弁２８が制御されるように構成されている。なお、オーバーフロー路３１も補給水タンク１５に接続されている。
【００２１】
前記バーナ１８に燃料ガスを供給する燃料供給路３２には、燃料供給を断続する電磁操作式の断続弁３３、燃料供給量（バーナ１８の燃焼量）を変更調節自在な電磁操作式のガス量調節弁３４が備えられ、バーナ１８に燃焼用空気を供給するファン３５も設けられ、バーナ１８の近くには、バーナ１８に対する点火動作を実行するイグナイタ３６と、バーナ１８が着火されているか否かを検出するフレームロッド３７とがそれぞれ備えられている。
【００２２】
前記リモコン操作部７には、熱媒循環運転を指令する運転スイッチ３８、床暖房パネル１の室内温度を設定する温度設定スイッチ３９、温度設定スイッチ３９にて設定された室内温度などを表示する表示部４０などが備えられている。
また、ユニット側制御手段８の基板上には、熱媒充填運転を指令する熱媒充填運転指令手段としての水張りスイッチ４１が設けられている。
【００２３】
そして、ユニット側制御手段８および熱源機側制御手段１４とから構成されている制御手段６は、リモコン操作部７の運転スイッチ３８の押し操作により、熱媒循環運転が指令されると、循環ポンプ１９および熱負荷側循環ポンプ１０を循環作動させ、熱源機４からの往き熱媒の温度が熱源供給用温度になるように加熱手段１６を加熱作動させ、並びに、混合熱媒の温度が熱負荷用目標温度になるようにミキシングバルブ９を混合作動させる熱媒循環処理を実行するように構成されている。
また、前記制御手段６は、水張りスイッチ４１のＯＮ操作により、熱媒充填運転が指令されると、循環ポンプ１９および熱負荷側循環ポンプ１０を循環作動させ、熱源機４からの往き熱媒の温度が熱源供給用温度になるように加熱手段１６を加熱作動させ、並びに、バイパス路３を通した熱媒の流動が無いあるいはそれに近いバイパス路閉じ状態（全開状態）にミキシングバルブ９を作動させる熱媒充填処理を実行するように構成されている。
【００２４】
前記熱媒循環処理について説明を加えると、前記制御手段６は、熱媒循環運転が指令されるに伴って、バイパス路３を通した熱媒の流動が無いあるいはそれに近いバイパス路閉じ状態（全開状態）にミキシングバルブ９を徐々に作動させながら、循環ポンプ１９を循環作動させ、熱源機４からの往き熱媒の温度が熱源供給用温度（例えば、８０℃）になるように加熱手段１６を加熱作動させることを実行し、サーミスタ１１の検出温度が作動用設定温度（例えば、５４℃）以上になり、熱負荷側循環ポンプ１０の設置箇所に熱媒を検出すると、熱負荷側循環ポンプ１０を作動させることを実行する。
そして、熱媒循環運転が指令されてから設定時間が経過して、リモコン操作部７による設定室内温度が低温状態であるときに、混合熱媒の温度が熱負荷用目標温度（例えば、５６℃〜６４℃）になるようにミキシングバルブ９を混合作動させることを実行する。
【００２５】
すなわち、熱媒循環運転においては、図１に示すように、熱源機４からの往き熱媒がミキシングバルブ９によりバイパス路３からの戻り熱媒と混合されて、熱負荷側循環ポンプ１０の循環作動により、熱媒循環路２およびバイパス路３を通して床暖房パネル１に熱媒を循環供給することになる。
なお、混合ユニット５内における往き側循環路部分２ａを流動する熱媒の一部がユニットバイパス路１２を通して熱源機４に流動可能とし、混合ユニット５内における戻り側循環路部分２ｂの一部が熱源機４に戻り側循環路部分２ｂを通して熱源機４に流動可能としている。
【００２６】
そして、リモコン操作部７の運転スイッチ３８が再度押し操作されると、循環ポンプ１９の循環作動および加熱手段１６の加熱作動を停止させて熱源機４の運転を停止させ、熱源機４からの往き熱媒の流動が無いあるいはそれに近い熱媒循環路閉じ状態（全閉状態）にミキシングバルブ９を作動させることを実行し、サーミスタ１１の検出温度が停止用設定温度（例えば、６０℃）以下になると、熱負荷側循環ポンプ１０の循環作動を停止させる熱媒循環処理の停止処理を実行するように構成されている。
【００２７】
前記熱媒充填処理について説明を加えると、この熱媒充填処理は、熱源機４の補給水タンク１５の水位が上限センサ２９と下限センサ３０の間にあるときに実行されるようにしており、前記制御手段６は、熱媒充填運転が指令されると、先ず、循環ポンプ１９を循環作動させ、熱源機４からの往き熱媒の温度が熱源供給用温度（例えば、８０℃）になるように加熱手段１６を加熱作動させ、並びに、バイパス路３を通した熱媒の流動が無いあるいはそれに近いバイパス路閉じ状態（全開状態）にミキシングバルブ９を作動させることを実行し、サーミスタ１１の検出温度が作動用設定温度（例えば、５４℃）以上になり、熱負荷側循環ポンプ１０の設置箇所に熱媒を検出すると、熱負荷側循環ポンプ１０を作動させることを実行する。
【００２８】
なお、この実施形態では、熱媒充填運転において、熱源機４からの往き熱媒の温度を熱源供給用目標温度になるように加熱手段１６を加熱作動させるようにしているが、加熱手段１６を加熱作動させずに、熱源機４から補給水タンク１５の水を床暖房パネル１および熱媒循環路２に充填するようにしてもよい。
【００２９】
すなわち、熱媒充填運転においては、図２に示すように、バイパス路３を通した熱媒の流動が無いあるいはそれに近いバイパス路閉じ状態（全開状態）にミキシングバルブ９を作動させ、熱源機４から供給される熱媒の全量をミキシングバルブ９よりも床暖房パネル１側の往き側循環路部分２ａに的確に流動させて、熱源機４からの往き熱媒により床暖房パネル１および熱媒循環路２の熱媒の充填が行われることになる。
【００３０】
このようにして、床暖房パネル１および熱媒循環路２に熱媒を充填する熱媒充填運転において、バイパス路３を通した熱媒の流動が無いあるいはそれに近いバイパス路閉じ状態（全開状態）にミキシングバルブ９を作動させ、熱源機４から供給される熱媒の全量をミキシングバルブ９よりも床暖房パネル１側の往き側循環路部分２ａに的確に流動させるので、熱負荷および熱媒循環路に確実にかつ短時間で熱媒を充填することが可能となる熱媒供給システムを提供することが可能となった。
【００３１】
また、前記熱媒循環運転および熱媒充填運転において、サーミスタ１１の検出温度が作動用設定温度（例えば、５４℃）以上になり、熱負荷側循環ポンプ１０の設置箇所に熱媒を検出すると、熱負荷側循環ポンプ１０を作動させることによって、常に、熱媒が存在する状態で熱負荷側循環ポンプ１０を循環作動させることが可能となり、熱媒が存在しない状態で熱負荷側循環ポンプ１０を循環作動させて、熱負荷側循環ポンプ１０が損傷を受けることを防止して、熱負荷側循環ポンプ１０の寿命を長く維持することが可能となる。
ちなみに、補給水タンク１５により熱媒連通路２２における循環ポンプ１９の設置箇所に熱媒が補給されるので、熱媒連通路２２における循環ポンプ１９の設置箇所に熱媒が存在する状態で循環ポンプ１９を循環作動させ、循環ポンプ１９の空作動を防止して、循環ポンプ１９の寿命も長く維持することが可能となる。
【００３２】
そして、熱媒充填運転が指令されてから停止用設定時間が経過するか、または、水張りスイッチ４１がＯＦＦ操作されると、循環ポンプ１９の循環作動および加熱手段１６の加熱作動を停止させて熱源機４の運転を停止させ、熱源機４からの往き熱媒の流動が無いあるいはそれに近い熱媒循環路閉じ状態（全閉状態）にミキシングバルブ９を作動させることを実行し、サーミスタ１１の検出温度が停止用設定温度以下になると、熱負荷側循環ポンプ１０の循環作動を停止させる熱媒充填処理の停止処理を実行するように構成されている。
【００３３】
前記ユニット側制御手段８は、リモコン操作部７と双方向通信自在に接続され、リモコン操作部７からの熱媒循環運転の指令が指令されると、混合ユニット５の運転を管理するとともに、その熱媒循環運転の指令を中継して熱源機側制御手段１４に指令し、かつ、ユニット側制御手段８の基板上に設けられた水張りスイッチ４１により熱媒充填運転が指令されると、混合ユニット５の運転を管理するとともに、熱媒充填運転を熱源機側制御手段１４に指令するように構成されている。
そして、ユニット側制御手段８は、熱媒循環運転および熱媒充填運転の指令に基づいて、サーミスタ１１の検出温度が設定温度以上となり、熱負荷側循環ポンプ１０の設置箇所に熱媒を検出すると、熱負荷側循環ポンプ１０を循環作動させるとともに、バイパス路３からの戻り熱媒と熱源機４からの往き熱媒との混合比を調整するようにミキシングバルブ９の混合作動を制御するように構成されている。
【００３４】
前記ミキシングバルブ９の混合作動について説明を加えると、熱媒循環運転が指令されるに伴って、バイパス路３を通した熱媒の流動が無いあるいはそれに近いバイパス路閉じ状態（全開状態）になるようにステッピングモータ１３のステップ数を徐々に変更させるようにしている。
すなわち、バイパス路３を通した熱媒の流動が無いあるいはそれに近いバイパス路閉じ状態（全開状態）になるようにステッピングモータ１３のステップ数を徐々に変更させることによって、バルブの急激な開閉、気体の混入などにより発生する異常圧力、すなわちウォーターハンマーを防止するようにしている。
【００３５】
そして、熱媒循環運転が指令されてから設定時間が経過して、リモコン操作部７による設定室内温度が低温状態であるときに、混合熱媒の温度が熱負荷用目標温度（例えば、５４℃〜６４℃）になるように、サーミスタ１１の検出温度に基づいてステッピングモータ１３のステップ数を調整するようにしている。
また、熱媒充填指令が指令されると、バイパス路３を通した熱媒の流動が無いあるいはそれに近いバイパス路閉じ状態（全開状態）になるようにステッピングモータ１３のステップ数を変更させるようにしている。
【００３６】
前記熱源機側制御手段１４は、ユニット側制御手段８により中継されるリモコン操作部７からの指令などに基づいて、循環ポンプ１９を循環作動させるとともに、熱源機４からの往き熱媒の温度が熱源供給用目標温度になるように加熱手段１６を加熱作動させるように構成されている。
ちなみに、熱源機側制御手段４は、
【００３７】
前記加熱手段１６の加熱作動について説明を加えると、ファン３５による通風作動を開始し、かつ、断続弁３３を開弁させてガス量調節弁３４を点火用ガス量になるように開弁調整するとともに、イグナイタ３６によってバーナ１８へ着火し、フレームロッド３７によって確認する。
その後、循環ポンプ１９の循環作動による循環量、熱媒戻りサーミスタ２４の検出情報、および、熱媒往きサーミスタ２５の検出情報に基づいて、熱源機４からの往き熱媒の温度が熱源供給用目標温度（例えば、８０℃）になるようにバーナ１８の燃焼量を調整するようにしている。
【００３８】
前記制御手段６の熱媒循環運転および熱媒充填運転のそれぞれを、図５および６のフローチャートに基づいて説明する。
まず、熱媒循環運転について説明すると、リモコン操作部７の運転スイッチ３８が押し操作されて、熱媒循環運転が指令されると、図５に示すように、循環ポンプ１９を循環作動させ、加熱手段１６を加熱作動させて熱源機４の運転を開始し、バイパス路を通した熱媒の流動が無いあるいはそれに近いバイパス路閉じ状態（全開状態）にミキシングバルブ９を徐々に作動させる（ステップ１）。
そして、サーミスタ１１の検出温度、すなわちサーミスタ温度が作動用設定温度（例えば、５４℃）以上になると、熱負荷側循環ポンプ１０を循環作動させて、熱媒循環運転が指令されてから設定時間（例えば、３０分）経過して、リモコン操作部７による設定室内温度が低温状態である低温運転のときには、混合熱媒の温度が熱負荷用目標温度（例えば、５４℃〜６４℃）になるようにミキシングバルブ９をミキシング混合作動させる（ステップ２〜６）。
【００３９】
このようにして、熱源機４からの往き熱媒とバイパス路３からの戻り熱媒とがミキシングバルブ９にて混合された混合熱媒が床暖房パネル１に供給されて、室内を暖房するようにしているが、リモコン操作部７の運転スイッチ３８が再度押し操作されて、熱媒循環運転の停止が指令されると、循環ポンプ１９の循環作動および加熱手段１６の加熱作動を停止させて熱源機４の運転を停止させ、熱源機４からの往き熱媒の流動が無いあるいはそれに近い熱媒循環路閉じ状態（全閉状態）にミキシングバルブ９を作動させる（ステップ７，８）。
そして、サーミスタ１の検出温度、すなわちサーミスタ温度が停止用設定温度（例えば、６０℃）以下になると、熱負荷側循環ポンプ１０の循環作動を停止させる（ステップ９，１０）。
【００４０】
次に、熱媒充填処理について説明すると、水張りスイッチ４１がＯＮ操作されて、熱媒充填運転が指令されると、循環ポンプ１９を循環作動させ、加熱手段１６を加熱作動させて熱源機４の運転を開始し、バイパス路を通した熱媒の流動が無いあるいはそれに近いバイパス路閉じ状態（全開状態）にミキシングバルブ９を作動させる（ステップ１１）。
そして、サーミスタ１１の検出温度、すなわちサーミスタ温度が作動用設定温度（例えば、５４℃）以上になると、熱負荷側循環ポンプ１０を作動させる（ステップ１２，１３）。
【００４１】
このようにして、バイパス路を通した熱媒の流動が無いあるいはそれに近いバイパス路閉じ状態（全開状態）で床暖房パネル１および熱媒循環路２に熱媒が充填され、熱媒充填運転が指令されてから停止用設定時間（例えば、２０分）が経過するか、または、水張りスイッチ４１がＯＦＦ操作されて、熱媒充填運転の停止が指令されると、循環ポンプ１９の循環作動および加熱手段１６の加熱作動を停止させて熱源機４の運転を停止させ、熱源機４からの往き熱媒の流動が無いあるいはそれに近い熱媒循環路閉じ状態（全閉状態）にミキシングバルブ９を作動させる（ステップ１４、１５）。
そして、サーミスタ１１の検出温度、すなわちサーミスタ温度が停止用設定温度（例えば、６０℃）以下になると、熱負荷側循環ポンプ１０の循環作動を停止させる（ステップ１６，１７）。
【００４４】
〔別実施形態〕
（１）上記実施形態では、熱媒循環運転および熱媒充填運転において、サーミスタ１１の検出温度が作動用設定温度以上になり、熱負荷側循環ポンプ１０の設置箇所に熱媒を検出すると、熱負荷側循環ポンプ１０を循環作動させるようにしているが、熱媒循環運転および熱媒充填運転が指令されると、熱負荷側循環ポンプ１０を循環作動させてもよく、熱負荷側循環ポンプ１０の循環作動条件は変更可能である。
【００４５】
（２）上記実施形態では、混合ユニット５の運転を管理するユニット側制御手段８と、熱源機４の運転を管理する熱源機側制御手段１４とが各別に設けられているが、例えば、熱源機４および混合ユニット５の運転を管理する制御手段６を設けるようにして実施することも可能である。
【図面の簡単な説明】
【図１】熱媒供給システムの全体概略構成図
【図２】熱媒供給システムの全体概略構成図
【図３】ミキシングバルブにおけるステッピングモータのステップ数と混合比を示す図
【図４】熱源機の全体概略構成図
【図５】熱媒循環運転における制御手段の動作を示すフローチャート
【図６】熱媒充填運転における制御手段の動作を示すフローチャート
【符号の説明】
１              熱負荷
２              熱媒循環路
３              バイパス路
４              熱源機
５              混合ユニット
６              制御手段
９              混合手段
１０            熱負荷側循環手段
１１            熱媒検出手段
１５            補給手段
１６            加熱手段
１９            循環手段
４１            熱媒充填運転指令手段
【図１】
0004155684.tif 000002
【図２】
0004155684.tif 000003
【図３】
0004155684.tif 000004
【図４】
0004155684.tif 000005
【図５】
0004155684.tif 000006
【図６】
0004155684.tif 000007